(57)【要約】【課題】コンテンツに表示されている複数のプレーンのうち、一のプレーンを選択することにより、簡易な操作で選択されたプレーンの表示形態を変更することが可能なコンテンツ表示装置等を提供する。【解決手段】少なくとも一つのプレーンにコンテンツが表示されている表示画面に、一又は複数のプレーンが重畳して表示されるコンテンツ表示装置において、所定の操作を検出する操作検出手段と、検出された操作に応じて一のプレーンを選択するプレーン選択手段と、プレーン選択手段により選択されたプレーンに対して、表示形態の指示を行う表示形態指示手段と、表示形態指示手段に基づいて、前記プレーンの表示形態を変更する表示形態変更手段と、を備える。【選択図】図１
2014116684.tif 000002
【特許請求の範囲】
【請求項１】
少なくとも一つのプレーンにコンテンツが表示されている表示画面に、一又は複数のプレーンが重畳して表示されるコンテンツ表示装置において、
所定の操作を検出する操作検出手段と、
前記検出された操作に応じて一のプレーンを選択するプレーン選択手段と、
前記プレーン選択手段により選択されたプレーンに対して、表示形態の指示を行う表示形態指示手段と、
前記表示形態指示手段に基づいて、前記プレーンの表示形態を変更する表示形態変更手段と、
を備えることを特徴とするコンテンツ表示装置。
【請求項２】
前記操作検出手段は、タッチパネルにより所定の操作を検出し、
前記プレーン選択手段は、タッチパネルにより検出された操作の種類に対応して、表示画面に重畳して表示されているプレーンのうち、一のプレーンが選択されることを特徴とする請求項１に記載のコンテンツ表示装置。
【請求項３】
デジタル放送を受信する受信部を更に有し、
前記コンテンツとして前記デジタル放送から抽出された映像が映像プレーンに表示されており、
前記映像プレーンに重畳されるプレーンは、デジタル放送から抽出される字幕データが表示される字幕プレーンと、デジタル放送から抽出されるデータ放送が表示されるデータ放送プレーンの少なくとも一つであることを特徴とする請求項１又は２に記載のコンテンツ表示装置。
【請求項４】
前記表示形態変更手段は、
表示形態の指示を行うプレーンが、字幕プレーン、データ放送プレーンの場合には当該プレーンを拡大、縮小又は移動表示し、映像プレーンの場合には、デジタル放送の選局操作を行うことを特徴とする請求項３に記載のコンテンツ表示装置。
【請求項５】
少なくとも一つのプレーンにコンテンツが表示されている表示画面に、一又は複数のプレーンが重畳して表示する機能を実現するコンピュータにおいて、
所定の操作を検出する操作検出機能と、
前記検出された操作に応じて一のプレーンを選択するプレーン選択機能と、
前記プレーン選択機能により選択されたプレーンに対して、表示形態の指示を行う表示形態指示機能と、
前記表示形態指示機能に基づいて、前記プレーンの表示形態を変更する表示形態変更機能と、
を実現させることを特徴するプログラム。
【発明の詳細な説明】
【技術分野】
【０００１】
本発明は、コンテンツ表示装置等に関する。
【背景技術】
【０００２】
従来からコンテンツを表示する場合に、字幕データや、各種情報をそれぞれの表示用のプレーンに出力し、重畳して表示することが一般的に行われている。例えば、デジタル放送を受信して表示する場合には、メインのコンテンツである映像プレーンに、字幕、文字スーパー、データ放送の表示画面に基づいたプレーンが重畳して表示される発明が知られている（例えば、特許文献１参照）。
【先行技術文献】
【特許文献】
【０００３】
【特許文献１】特開２０１０−２５２０５０号公報
【発明の概要】
【発明が解決しようとする課題】
【０００４】
コンテンツに重畳されている各プレーンについて、コンテンツの内容に応じて例えば大きさや位置を変更したい場合、従来は複数の操作を行う必要があり、直感的に操作したり、リアルタイムに操作したりすることが難しいという課題があった。
【０００５】
特に、携帯端末のような表示画面の大きさに限りがある場合、字幕やデータ放送を拡大表示したい要望もある。例えば特許文献１のように、適切に表示させるために文字サイズ等が縮小されてしまうと、携帯端末の場合は逆に視認性が落ちてしまう。したがって、ユーザが自ら表示を変更したいという要望があった。
【０００６】
また、従来のタッチパネル操作の携帯端末では、フリック・ピンチ等、画面のタッチ操作は、ワンセグアプリや地上デジタル放送（固定テレビ用放送）アプリの重畳された各描画プレーンに対して行われるものではなかった。各表示画面毎にタッチパネル操作による動作は、例えば映像表示中の横フリックならはチャンネル切り替えというように、決まった制御となっていた、このため、データ放送や字幕の文字の部分のみを拡大するというような操作ができなかった。
【０００７】
上述した課題に鑑み、本発明の目的は、コンテンツに表示されている複数のプレーンのうち、一のプレーンを選択することにより、簡易な操作で選択されたプレーンの表示形態を変更することが可能なコンテンツ表示装置等を提供することである。
【課題を解決するための手段】
【０００８】
本発明のコンテンツ表示装置は、少なくとも一つのプレーンにコンテンツが表示されている表示画面に、一又は複数のプレーンが重畳して表示されるコンテンツ表示装置において、所定の操作を検出する操作検出手段と、前記検出された操作に応じて一のプレーンを選択するプレーン選択手段と、前記プレーン選択手段により選択されたプレーンに対して、表示形態の指示を行う表示形態指示手段と、前記表示形態指示手段に基づいて、前記プレーンの表示形態を変更する表示形態変更手段と、を備えることを特徴とする。
【０００９】
本発明のプログラムは、少なくとも一つのプレーンにコンテンツが表示されている表示画面に、一又は複数のプレーンが重畳して表示する機能を実現するコンピュータにおいて、所定の操作を検出する操作検出機能と、前記検出された操作に応じて一のプレーンを選択するプレーン選択機能と、前記プレーン選択機能により選択されたプレーンに対して、表示形態の指示を行う表示形態指示機能と、前記表示形態指示機能に基づいて、前記プレーンの表示形態を変更する表示形態変更機能と、を実現させることを特徴する。
【発明の効果】
【００１０】
本発明によれば、少なくとも一つのプレーンにコンテンツが表示されている表示画面に、一又は複数のプレーンが重畳して表示されるコンテンツ表示装置において、所定の操作を検出し、検出された操作に応じて一のプレーンを選択する。そして、選択されたプレーンに対して、表示形態の指示を行い、前記プレーンの表示形態を変更することができる。これにより、複数のプレーンのうち、一のプレーンに対して操作が行え、表示形態が変更できることとなり、全体としての表示形態を維持しつつ、必要な箇所の表示形態のみが変更されることとなる。
【図面の簡単な説明】
【００１１】
【図１】本実施形態におけるシステム全体を説明するための図である。
【図２】本実施形態における携帯端末の機能構成を説明するための図である。
【図３】本実施形態における処理の流れを説明するための図である。
【図４】本実施形態における処理の流れを説明するための図である。
【図５】第１実施形態における画面例を説明するための図である。
【図６】第１実施形態における画面例を説明するための図である。
【発明を実施するための形態】
【００１２】
続いて、本発明のコンテンツ表示装置について具体的な実施形態について説明する。以下の実施形態は、本発明の内容を説明するための一例であり、本発明の内容が限定して解釈されるものではない。本発明は、複数のプレーンが重畳表示されてひとつの表示画面を構成する装置に適用される。本実施形態においては、コンテンツ表示装置を適用した携帯端末について説明する。
【００１３】
［１．１  全体構成］
まず、図１を用いて本実施形態における携帯端末１の外観図を中心に、携帯端末１を含むシステム全体構成を説明する。本実施形態においては、表示するコンテンツとして、デジタル放送を一例にとって説明する。すなわち、携帯端末１は、放送局３から、デジタル放送を受信する。デジタル放送には、映像・音声と併せて、字幕データや、ＢＭＬデータ等で表されるデータ放送が含まれている。
【００１４】
［２．機能構成］
続いて、携帯端末１の機能構成について、図２を用いて説明する。上述したように、本実施形態は、表示するコンテンツとしてデジタル放送を一例とするが、他のコンテンツを表示することとしても良いことは勿論である。
【００１５】
イベント入力部１２は、ユーザの操作を受け付け、ソフトウェア処理可能な情報に変換する機能部である。例えば、タッチパネル、キー（ボタン）、マウス等で構成されている。本実施形態で想定するデジタル放送受信機能を有する携帯端末１ではタッチパネルを例として説明する。
【００１６】
イベント解釈部１４は、イベント入力部１２から入力された情報の解釈を行う機能部である。ユーザの操作が、操作対象の選択、選択画面に対する操作かを判定することができる。
【００１７】
タイマ部１６は、操作対象選択部１８が選択した操作対象プレーンへの操作有効時間をカウントするための計時機能を実現する機能部である。なお、操作有効時間を設定しない場合には、本機能部は不要となる。
【００１８】
操作対象選択部１８は、イベント解釈部１４からの情報の振り分けを行うための機能部である。制御対象が描画制御部３２の場合は、対象となる描画制御部へ制御イベントを出力する。また、ユーザ操作が、描画制御部３２への操作ではない場合（選局等）は、制御イベントを例えばデジタル放送制御部２０へ出力する。
【００１９】
デジタル放送制御部２０は、操作イベントにより、選局等デジタル放送受信機能の制御を行うための機能部である。デジタル放送制御部２０が、各機能部を制御することにより、デジタル放送受信部１００によりデジタル放送が受信され、表示（出力）される。
【００２０】
ここで、デジタル放送受信部１００について説明する。所望する番組コンテンツがチューナ部２２により受信され、受信されたＴＳがＴＳ分離部２４に出力される。ＴＳ分離部２４は、チューナ部２２から入力されたＴＳを、各ＥＳ（Elementary Stream）に分離し、各処理部に出力する。ここで、ＴＳ分離部２４からは、映像データと、音声データと、字幕データと、ＢＭＬデータとが必要に応じて分離して出力される。
【００２１】
出力された映像データは映像データ処理部３０に、字幕データは字幕データ処理部２８に、ＢＭＬデータはＢＭＬデータ処理部２６にそれぞれ出力される。なお、音声データ等本発明とは直接関係ないものは省略する。
【００２２】
ＢＭＬデータ処理部２６は、ＢＭＬデータからデータ放送表示画面を作成する機能部である。また、デジタル放送制御部２０からの制御により、データ放送の画面遷移等を制御する。ここで作成される表示画面は、放送波で指定される位置に放送波で指定されるサイズの表示を行う画面となる。データ放送表示画面は、描画制御部３２（３２ｃ）に出力される。
【００２３】
字幕データ処理部２８は、字幕データから字幕表示画面を作成する機能部である。ここで作成される字幕表示画面は放送波で指定される位置に放送波で指定されるサイズの表示を行う画面となる。字幕表示画面は、描画制御部３２（３２ｂ）に出力される。
【００２４】
映像データ処理部３０は、映像データから映像表示画面を作成する機能部である。作成された映像表示画面は、描画制御部３２（３２ａ）に出力される。
【００２５】
続いて、描画制御部３２について説明する。描画制御部３２は、各種表示画面を制御するための機能部である。描画制御部３２は、入力された各表示画面をそれぞれデコードし、各表示プレーンとして描画メモリ３４に出力する。
【００２６】
描画制御部３２ａは、映像データ処理部３０から入力される映像表示画面から、映像プレーンを生成し、描画メモリ３４ａに格納する。また、操作対象選択部１８より入力される操作イベントにより、映像表示の拡大・縮小・表示位置移動等の処理後の映像プレーンを描画メモリ３４ａに格納する。
【００２７】
描画制御部３２ｂは、字幕データ処理部２８から入力される字幕表示画面から、字幕プレーンを生成し、描画メモリ３４ｂに格納する。操作対象選択部１８より入力される操作イベントにより、字幕表示の拡大・縮小・表示位置移動等の処理後の字幕プレーンを描画メモリ３４ｂに格納する。
【００２８】
描画制御部３２ｃは、ＢＭＬデータ処理部２６から入力されるデータ放送表示画面から、データ放送プレーンを生成し、描画メモリ３４ｃに格納する。操作対象選択部１８より入力される操作イベントにより、データ放送表示の拡大・縮小・表示位置移動等の処理後のデータ放送プレーンを描画メモリ３４ｃに格納する。
【００２９】
そして、必要に応じて描画メモリ３４（３４ａ〜３４ｃ）の各プレーンを画面合成部３６で合成し、表示部３８に出力する。これにより、各プレーン（表示画面）が重畳して表示されることとなる。
【００３０】
なお、表示部３８は、表示画面を出力するための装置であり、例えばＬＣＤや有機ＥＬパネル等で構成されている。また、本実施形態では、表示部３８を有する装置として説明するが、例えばＨＤＭＩやコンポジットと接続規格により接続された外部装置に表示させることとしてもよい。
【００３１】
また、描画制御部３２及び描画メモリ３４は、表示されるプレーン数により構成が変わっても良い。例えば、２つのプレーンを表示する場合は２系統あれば良いし、更に多くｎ枚のプレーンを表示する場合はｎ系統必要となる。
【００３２】
［３．処理の流れ］
続いて、本実施形態における処理の流れについて、図３を用いて説明する。まず、有効な画面操作がなされたか否かを判定する（ステップＳ１０２）。有効な画面操作がなされるとは、例えば利用者によりタッチパネルにタッチ、タップ、スワイプ等の各種動作がなされたり、マウスによりドラッグ、クリックといった各種動作がなされたことをいう。
ここで、有効な画面操作が検出された場合には（ステップＳ１０２；Ｙｅｓ）、当該操作がプレーン選択操作が否かを検出する（ステップＳ１０４）。すなわち、上記表示画面のうち、各プレーンに対する選択操作が行われたことを検出する。
【００３３】
具体例としては、表示画面（入力検知エリア）の右上を１回タップすることでデータ放送プレーンを制御対象としたり、表示画面の右上２回連続タップで字幕プレーンを制御対象としたりするといった種々の動作が可能である。
【００３４】
もし、この段階で特定のプレーン選択操作ではないと判定された場合には通常の操作処理がそのまま実行される（ステップＳ１０４；Ｎｏ→ステップＳ１１６）。
【００３５】
ステップＳ１０４において、プレーン選択操作が検出されると（ステップＳ１０４；Ｙｅｓ）、プレーンが選択されたことをユーザに報知するために、識別表示を行う（ステップＳ１０６）。
【００３６】
例えば、制御対象となっているプレーンの色を変更したり、強調表示（例えば、太字にしたり、枠囲みを行ったり、ブリンク処理を行ったり）しても良い。
【００３７】
そして、プレーン選択操作であることが始まったときから、タイマ部１６を用いて選択有効時間タイマが開始される（ステップＳ１０８）。ここで、例えばタッチパネルの場合、利用者が意図していないタイミングで、プレーン選択操作が検出されてしまう場合がある。そこで、選択有効時間タイマを利用することにより、誤入力の場合は処理を無効とすることができる。
【００３８】
具体的には、選択有効時間内（ステップＳ１１２；Ｎｏ）の間、有効な画面操作があったか否か検出する（ステップＳ１１０）。ここで、有効な画面操作がなく、選択有効時間のタイマが満了した場合には（ステップＳ１１２；Ｙｅｓ）、選択プレーンの識別表示を戻して表示する（ステップＳ１１４）。
【００３９】
一方、有効な画面操作が検出された場合には（ステップＳ１１０；Ｙｅｓ）、選択有効時間のタイマを停止し（ステップＳ１１８）、選択プレーンの表示形態を操作により変更する処理を実行する（ステップＳ１２０）。そして、表示形態の変更が完了した後は、選択プレーンの識別表示を戻し、ステップＳ１０２から処理を繰り返し実行する。
【００４０】
ここで、表示形態とは、例えば大きさや、位置、色、フォント種別、選局等の表示されている形態を言うものとする。そして、プレーンが選択前の状態から、操作により所望の表示形態に変更される処理が実行される。例えば、ピンチ操作により拡大されたり、フリックされることにより表示位置の移動等が行える。
【００４１】
また、表示形態の変更には、現在表示されているコンテンツから異なるコンテンツに変更するものも含むとする。例えば、コンテンツとしてデジタル放送が受信され、表示されている場合に映像プレーンが選択されると、表示形態の変更により他のチャンネルの番組が表示（すなわち選局操作が）される。
【００４２】
なお、上述した処理では、タイマ部１６による選択有効時間タイマの計測を利用しているが、タイマを利用しなくても同様の処理は可能である。
【００４３】
具体的な処理の流れを図４に示す。図４は、図３の処理からタイマに関する処理を行わない場合の動作フローであり、図３と同一の処理には同一の符号を付している。
【００４４】
ここで、プレーン選択操作が行われたあと、有効な画面操作があるまで待機している（ステップＳ１１０；Ｎｏ）。この段階で、ユーザが操作をキャンセルしたい場合は、キャンセルの操作を行う（ステップＳ１５２；Ｙｅｓ）。
【００４５】
このようにすることで、時間制限無く処理を実行することが可能となる。また、図３と図４との処理は、例えば設定を切り替えることにより、両方の処理を同一の装置で実現できることとしても良い。
【００４６】
［４．画面例］
続いて、本実施形態における画面例を図５を用いて説明する。例えば、表示画面Ｗ１００は、映像プレーン（Ｒ１００）に、字幕プレーン（Ｒ１０４）と、データ放送プレーン（Ｒ１０２）とが合成して表示されている。このように、複数のプレーン（各プレーンに相当する表示画面）が合成されて、全体の表示画面が形成されている。
【００４７】
このとき、プレーン選択操作以外の操作がなされた場合には、通常の操作処理が実行される（表示画面Ｗ１０２、図３のステップＳ１０４；Ｎｏ→ステップＳ１１６）。
【００４８】
他方、表示画面Ｗ１００において、各プレーンが選択された場合には、選択されたプレーンについて識別表示される。例えば、表示画面Ｗ１０４はデータ放送プレーンが、表示画面Ｗ１０６は字幕プレーンが、表示画面Ｗ１０８は映像プレーンが選択され、それぞれ識別表示（色つき表示）されている。
【００４９】
ここで、一例としてデータ放送プレーンが選択されている場合に、ピンチ操作されることにより、データ放送が拡大表示された一例が表示画面Ｗ１１０であり、スライド操作されることにより、データ放送プレーンが移動表示された一例が表示画面Ｗ１１２である。
【００５０】
このように、本実施形態によれば、制御対象とすべきプレーンを指定してからタッチパネルの操作等を行うことで、フリック・ピンチ等の操作を選択したプレーンに対して行うことができる。
【００５１】
これにより、特に表示画面サイズが小さいスマートフォンやタブレット端末等のような装置で、コンテンツを表示中（例えば、地上デジタル放送を視聴中）に、映像に重畳されたデータ放送のみを拡大表示したり、字幕のみを拡大表示することが可能となる。
【００５２】
例えば、実際の地上デジタル放送では、映像に重畳する形で画面スミに天気予報がデータ放送で表示される場合があるが、この天気予報部分のみを拡大することが可能となり、ユーザにとって利便性の高い携帯端末を提供することが可能となる。
【００５３】
［４．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００５４】
なお、上述した実施形態はコンテンツ表示装置を携帯電話に適用した場合について説明したが、それ以外の表示装置に適用することとしても良い。例えば、タブレット端末、電子書籍端末、電子辞書、カーナビゲーション、ゲーム機器、テレビ等、様々な機器に応用可能である。
【００５５】
また、上述した実施形態は、選択された表示プレーンの識別表示として色を変える例を説明したが、表示プレーンが選択されている事がユーザに識別出来れば他の方法でも良い。例えば、図６の表示画面Ｗ２０２のように、表示プレーンを強調表示（例えば、太線で囲み表示したり、点滅表示したり）しても良い。また、表示画面Ｗ２０４のように、現在選択されているプレーンを具体的に文字表示（アイコン表示）しても良い。
【００５６】
また、上述した実施形態は、映像コンテンツに字幕データと、データ放送とを重畳表示しているが、複数の映像を重畳表示される構成であれば、他の装置にも応用可能である。例えば、図６の表示画面Ｗ２０６のように、地図画面を表示する表示プレーン、ルート案内を表示する案内表示プレーン、渋滞情報を表示する渋滞情報表示プレーン、地図上の施設情報を表示する施設表示プレーンを重畳表示するような装置にも応用可能である。
【００５７】
また、上述した実施形態は、デジタル放送を受信する場合を例に取って説明したが、例えば、ネットワークからストリーミング配信される動画コンテンツ、ＩＰマルチキャスト放送、Ｂｌｕ-ｒａｙ（登録商標）やＤＶＤコンテンツといった種々のコンテンツに適用可能である。
【００５８】
また、上述した実施形態ではタッチパネルを利用し、プレーンを選択する場合にはユーザがタッチパネルを操作しているが、他の方法・装置を用いても良い。例えば、装置に設けられたハードウェアキーによる選択、ジェスチャ認識出来る装置であればジェスチャ動作、センサ内蔵の装置であればセンサにより検出された位置・動作、外部のリモコン装置等からの操作信号といった種々の方法でプレーンを選択したり、表示形態を変更したりすることが出来る。
【００５９】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【００６０】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００６１】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【００６２】
１  携帯端末
３  放送局
１２  イベント入力部
１４  イベント解釈部
１６  タイマ部
１８  操作対象選択部
２０  デジタル放送制御部
２２  チューナ部
２４  分離部
２６  データ処理部
２８  字幕データ処理部
３０  映像データ処理部
３２、３２ａ、３２ｂ、３２ｃ  描画制御部
３４、３４ａ、３４ｂ、３４ｃ  描画メモリ
３６  画面合成部
３８  表示部
１００  デジタル放送受信部
【図１】
2014116684.tif 000003
【図２】
2014116684.tif 000004
【図３】
2014116684.tif 000005
【図４】
2014116684.tif 000006
【図５】
2014116684.tif 000007
【図６】
2014116684.tif 000008